(57)【要約】【課題】マクロセルを管理する無線基地局ｅＮＢの負担を減らしつつ、バックホールを介した通信に起因する無線設定の処理遅延を減らす。【解決手段】本発明に係る移動通信システムでは、無線基地局ｅＮＢ＃１は、スモールセルにおけるリソース割り当てを行うように構成されており、各移動局ＵＥは、無線基地局ｅＮＢ＃１との間でＲＲＣコネクションを設定し、無線基地局ｅＮＢ＃１０との間でＲＲＣコネクションを設定しないように構成されており、無線基地局ｅＮＢ＃１０は、無線基地局ｅＮＢ＃１との間で、Ｘ２コネクションを介して、スモールセルにおけるリソースに係る情報をやり取りするように構成されており、移動管理ノードＭＭＥは、各移動局ＵＥに対して、無線基地局ｅＮＢ＃１との間のＳ１コネクションに加えて、無線基地局ｅＮＢ＃１０との間のＳ１コネクションを管理するように構成されている。【選択図】図１
2014138386.tif 000002
【特許請求の範囲】
【請求項１】
マクロセルを管理する第１無線基地局と、スモールセルを管理する第２無線基地局と、移動管理ノードとを具備する移動通信システムであって、
前記第１無線基地局は、前記スモールセルにおけるリソース割り当てを行うように構成されており、
各移動局は、前記第１無線基地局との間でＲＲＣコネクションを設定し、前記第２無線基地局との間でＲＲＣコネクションを設定しないように構成されており、
前記第２無線基地局は、前記第１無線基地局との間で、Ｘ２コネクションを介して、前記スモールセルにおけるリソースに係る情報をやり取りするように構成されており、
前記移動管理ノードは、各移動局に対して、前記第１無線基地局との間のＳ１コネクションに加えて、前記第２無線基地局との間のＳ１コネクションを管理するように構成されていることを特徴とする移動通信システム。
【請求項２】
マクロセルを管理する第１無線基地局と、スモールセルを管理する第２無線基地局と、移動管理ノードとを具備する移動通信システムであって、
前記第２無線基地局は、前記スモールセルにおけるリソース割り当てを行うように構成されており、
各移動局は、前記第１無線基地局との間でＲＲＣコネクションを設定し、前記第２無線基地局との間でＲＲＣコネクションを設定しないように構成されており、
前記第２無線基地局は、前記第１無線基地局との間のＸ２コネクションを介して、前記スモールセルにおけるリソース割り当て結果を通知するように構成されており、
前記移動管理ノードは、各移動局に対して、前記第１無線基地局との間のＳ１コネクションに加えて、前記第２無線基地局との間のＳ１コネクションを管理するように構成されていることを特徴とする移動通信システム。
【請求項３】
マクロセルを管理する第１無線基地局と、スモールセルを管理する第２無線基地局と、移動管理ノードとを具備する移動通信システムであって、
前記第２無線基地局は、前記スモールセルにおけるリソース割り当てを行うように構成されており、
各移動局は、前記第１無線基地局との間でＲＲＣコネクションを設定すると共に、前記第２無線基地局との間でＲＲＣコネクションを設定するように構成されており、
前記第２無線基地局は、前記第１無線基地局との間のＸ２コネクションを介して、各移動局のステータスを通知するように構成されており、
前記移動管理ノードは、各移動局に対して、前記第１無線基地局との間のＳ１コネクションに加えて、前記第２無線基地局との間のＳ１コネクションを管理するように構成されていることを特徴とする移動通信システム。
【請求項４】
マクロセルを管理する第１無線基地局と、スモールセルを管理する第２無線基地局と、移動管理ノードとを具備する移動通信システムであって、
前記第１無線基地局は、前記スモールセルにおけるリソース割り当てを行うように構成されており、
各移動局は、前記第１無線基地局との間でＲＲＣコネクションを設定し、前記第２無線基地局との間でＲＲＣコネクションを設定しないように構成されており、
前記第２無線基地局は、前記第１無線基地局との間で、Ｘ２コネクションを介して、前記スモールセルにおけるリソースに係る情報をやり取りするように構成されており、
前記移動管理ノードは、各移動局に対して、前記第１無線基地局との間のＳ１コネクションを管理し、前記第２無線基地局との間のＳ１コネクションを管理しないように構成されており、
前記移動管理ノードから前記第２無線基地局宛てのＳ１シグナリングは、前記Ｘ２コネクションを介して送信されるように構成されていることを特徴とする移動通信システム。
【請求項５】
マクロセルを管理する第１無線基地局と、スモールセルを管理する第２無線基地局と、移動管理ノードとを具備する移動通信システムであって、
前記第２無線基地局は、前記スモールセルにおけるリソース割り当てを行うように構成されており、
各移動局は、前記第１無線基地局との間でＲＲＣコネクションを設定し、前記第２無線基地局との間でＲＲＣコネクションを設定しないように構成されており、
前記第２無線基地局は、前記第１無線基地局との間のＸ２コネクションを介して、前記スモールセルにおけるリソース割り当て結果を通知するように構成されており、
前記移動管理ノードは、各移動局に対して、前記第１無線基地局との間のＳ１コネクションを管理し、前記第２無線基地局との間のＳ１コネクションを管理しないように構成されており、
前記移動管理ノードから前記第２無線基地局宛てのＳ１シグナリングは、前記Ｘ２コネクションを介して送信されるように構成されていることを特徴とする移動通信システム。
【請求項６】
マクロセルを管理する第１無線基地局と、スモールセルを管理する第２無線基地局と、移動管理ノードとを具備する移動通信システムであって、
前記第２無線基地局は、前記スモールセルにおけるリソース割り当てを行うように構成されており、
各移動局は、前記第１無線基地局との間でＲＲＣコネクションを設定すると共に、前記第２無線基地局との間でＲＲＣコネクションを設定するように構成されており、
前記第２無線基地局は、前記第１無線基地局との間のＸ２コネクションを介して、各移動局のステータスを通知するように構成されており、
前記移動管理ノードは、各移動局に対して、前記第１無線基地局との間のＳ１コネクションを管理し、前記第２無線基地局との間のＳ１コネクションを管理しないように構成されており、
前記移動管理ノードから前記第２無線基地局宛てのＳ１シグナリングは、前記Ｘ２コネクションを介して送信されるように構成されていることを特徴とする移動通信システム。
【発明の詳細な説明】
【技術分野】
【０００１】
本発明は、移動通信システムに関する。
【背景技術】
【０００２】
ＬＴＥ（Ｌｏｎｇ  Ｔｅｒｍ  Ｅｖｏｌｕｔｉｏｎ）のＲｅｌ-１２方式において、「Ｓｍａｌｌ  Ｃｅｌｌ  Ｅｎｈａｎｃｅｍｅｎｔ（ＳＣＥ）  ｗｏｒｋ  ｉｔｅｍ」が議論されようとしている。
【０００３】
なお、「Ｓｍａｌｌ  Ｃｅｌｌ」は、「ファントムセル（Ｐｈａｎｔｏｍ  Ｃｅｌｌ）」とも呼ばれる。
【０００４】
「Ｓｍａｌｌ  Ｃｅｌｌ  Ｅｎｈａｎｃｅｍｅｎｔ（ＳＣＥ）」についての初期検討段階では、Ｃ-ｐｌａｎｅパスとＵ-ｐｌａｎｅパスとを分割することを検討していた。
【０００５】
すなわち、マクロセルにおいて、Ｃ-ｐｌａｎｅ（ＲＲＣ：Ｒａｄｉｏ  Ｒｅｓｏｕｒｃｅ  Ｃｏｎｔｒｏｌ）データ及び音声通信用データについて提供し、スモールセル（ファントムセル）において、その他のＵ-ｐｌａｎｅデータ（ベストエフォートサービス用データ）について提供することが検討されていた。
【先行技術文献】
【非特許文献】
【０００６】
【非特許文献１】３ＧＰＰ  ＴＳ３６.９３２
【発明の概要】
【発明が解決しようとする課題】
【０００７】
しかしながら、かかる初期検討段階で想定されていたアーキテクチャーでは、無線リソースをマクロセルで集中して管理する無線基地局ｅＮＢの負担が大きく、また、マクロセルを管理する無線基地局ｅＮＢとスモールセルを管理する無線基地局ｅＮＢとの間のインターフェイス（バックホール）を介した通信に起因する無線設定の処理遅延が大きいという問題点があった。
【０００８】
そこで、本発明は、上述の課題に鑑みてなされたものであり、マクロセルを管理する無線基地局ｅＮＢの負担を減らしつつ、バックホールを介した通信に起因する無線設定の処理遅延を減らすことができる移動通信システムを提供することを目的とする。
【課題を解決するための手段】
【０００９】
本発明の第１の特徴は、マクロセルを管理する第１無線基地局と、スモールセルを管理する第２無線基地局と、移動管理ノードとを具備する移動通信システムであって、前記第１無線基地局は、前記スモールセルにおけるリソース割り当てを行うように構成されており、各移動局は、前記第１無線基地局との間でＲＲＣコネクションを設定し、前記第２無線基地局との間でＲＲＣコネクションを設定しないように構成されており、前記第２無線基地局は、前記第１無線基地局との間で、Ｘ２コネクションを介して、前記スモールセルにおけるリソースに係る情報をやり取りするように構成されており、前記移動管理ノードは、各移動局に対して、前記第１無線基地局との間のＳ１コネクションに加えて、前記第２無線基地局との間のＳ１コネクションを管理するように構成されていることを要旨とする。
【００１０】
本発明の第２の特徴は、マクロセルを管理する第１無線基地局と、スモールセルを管理する第２無線基地局と、移動管理ノードとを具備する移動通信システムであって、前記第２無線基地局は、前記スモールセルにおけるリソース割り当てを行うように構成されており、各移動局は、前記第１無線基地局との間でＲＲＣコネクションを設定し、前記第２無線基地局との間でＲＲＣコネクションを設定しないように構成されており、前記第２無線基地局は、前記第１無線基地局との間のＸ２コネクションを介して、前記スモールセルにおけるリソース割り当て結果を通知するように構成されており、前記移動管理ノードは、各移動局に対して、前記第１無線基地局との間のＳ１コネクションに加えて、前記第２無線基地局との間のＳ１コネクションを管理するように構成されていることを要旨とする。
【００１１】
本発明の第３の特徴は、マクロセルを管理する第１無線基地局と、スモールセルを管理する第２無線基地局と、移動管理ノードとを具備する移動通信システムであって、前記第２無線基地局は、前記スモールセルにおけるリソース割り当てを行うように構成されており、各移動局は、前記第１無線基地局との間でＲＲＣコネクションを設定すると共に、前記第２無線基地局との間でＲＲＣコネクションを設定するように構成されており、前記第２無線基地局は、前記第１無線基地局との間のＸ２コネクションを介して、各移動局のステータスを通知するように構成されており、前記移動管理ノードは、各移動局に対して、前記第１無線基地局との間のＳ１コネクションに加えて、前記第２無線基地局との間のＳ１コネクションを管理するように構成されていることを要旨とする。
【００１２】
本発明の第４の特徴は、マクロセルを管理する第１無線基地局と、スモールセルを管理する第２無線基地局と、移動管理ノードとを具備する移動通信システムであって、前記第１無線基地局は、前記スモールセルにおけるリソース割り当てを行うように構成されており、各移動局は、前記第１無線基地局との間でＲＲＣコネクションを設定し、前記第２無線基地局との間でＲＲＣコネクションを設定しないように構成されており、前記第２無線基地局は、前記第１無線基地局との間で、Ｘ２コネクションを介して、前記スモールセルにおけるリソースに係る情報をやり取りするように構成されており、前記移動管理ノードは、各移動局に対して、前記第１無線基地局との間のＳ１コネクションを管理し、前記第２無線基地局との間のＳ１コネクションを管理しないように構成されており、前記移動管理ノードから前記第２無線基地局宛てのＳ１シグナリングは、前記Ｘ２コネクションを介して送信されるように構成されていることを要旨とする。
【００１３】
本発明の第５の特徴は、マクロセルを管理する第１無線基地局と、スモールセルを管理する第２無線基地局と、移動管理ノードとを具備する移動通信システムであって、前記第２無線基地局は、前記スモールセルにおけるリソース割り当てを行うように構成されており、各移動局は、前記第１無線基地局との間でＲＲＣコネクションを設定し、前記第２無線基地局との間でＲＲＣコネクションを設定しないように構成されており、前記第２無線基地局は、前記第１無線基地局との間のＸ２コネクションを介して、前記スモールセルにおけるリソース割り当て結果を通知するように構成されており、前記移動管理ノードは、各移動局に対して、前記第１無線基地局との間のＳ１コネクションを管理し、前記第２無線基地局との間のＳ１コネクションを管理しないように構成されており、前記移動管理ノードから前記第２無線基地局宛てのＳ１シグナリングは、前記Ｘ２コネクションを介して送信されるように構成されていることを要旨とする。
【００１４】
本発明の第６の特徴は、マクロセルを管理する第１無線基地局と、スモールセルを管理する第２無線基地局と、移動管理ノードとを具備する移動通信システムであって、前記第２無線基地局は、前記スモールセルにおけるリソース割り当てを行うように構成されており、各移動局は、前記第１無線基地局との間でＲＲＣコネクションを設定すると共に、前記第２無線基地局との間でＲＲＣコネクションを設定するように構成されており、前記第２無線基地局は、前記第１無線基地局との間のＸ２コネクションを介して、各移動局のステータスを通知するように構成されており、前記移動管理ノードは、各移動局に対して、前記第１無線基地局との間のＳ１コネクションを管理し、前記第２無線基地局との間のＳ１コネクションを管理しないように構成されており、前記移動管理ノードから前記第２無線基地局宛てのＳ１シグナリングは、前記Ｘ２コネクションを介して送信されるように構成されていることを要旨とする。
【発明の効果】
【００１５】
以上説明したように、本発明によれば、マクロセルを管理する無線基地局ｅＮＢの負担を減らしつつ、バックホールを介した通信に起因する無線設定の処理遅延を減らすことができる移動通信システムを提供することができる。
【図面の簡単な説明】
【００１６】
【図１】本発明の第１の実施形態に係る移動通信システムの全体構成図である。
【図２】本発明の第１の実施形態に係る移動通信システムを構成する各装置のプロトコルスタック図である。
【図３】本発明の第２の実施形態に係る移動通信システムの全体構成図である。
【図４】本発明の第２の実施形態に係る移動通信システムを構成する各装置のプロトコルスタック図である。
【図５】本発明の第３の実施形態に係る移動通信システムの全体構成図である。
【図６】本発明の第３の実施形態に係る移動通信システムを構成する各装置のプロトコルスタック図である。
【図７】本発明の第４の実施形態に係る移動通信システムの全体構成図である。
【図８】本発明の第４の実施形態に係る移動通信システムを構成する各装置のプロトコルスタック図である。
【図９】本発明の第５の実施形態に係る移動通信システムの全体構成図である。
【図１０】本発明の第５の実施形態に係る移動通信システムを構成する各装置のプロトコルスタック図である。
【図１１】本発明の第６の実施形態に係る移動通信システムの全体構成図である。
【図１２】本発明の第６の実施形態に係る移動通信システムを構成する各装置のプロトコルスタック図である。
【発明を実施するための形態】
【００１７】
（本発明の第１の実施形態に係る移動通信システム）
図１及び図２を参照して、本発明の第１の実施形態に係る移動通信システムについて説明する。本実施形態に係る移動通信システムとして、ＬＴＥ方式の移動通信システムを例示して説明するが、本発明は、ＬＴＥ方式以外の移動通信システムにも適用可能である。
【００１８】
図１に示すように、本実施形態に係る移動通信システムは、移動管理ノードＭＭＥと、マクロセルを管理する無線基地局ｅＮＢ＃１と、スモールセルを管理する無線基地局ｅＮＢ＃１０とを具備している。
【００１９】
図１に示すように、本実施形態に係る移動通信システムでは、無線基地局ｅＮＢ＃１と無線基地局ｅＮＢ＃１０との間でＸ２コネクション（Ｘ２’-Ｃ）が設定されるように構成されている。
【００２０】
また、本実施形態に係る移動通信システムでは、移動管理ノードＭＭＥと無線基地局ｅＮＢ＃１との間でＳ１コネクション（Ｓ１-Ｃ）が設定されると共に、移動管理ノードＭＭＥと無線基地局ｅＮＢ＃１０との間でＳ１コネクション（Ｓ１-Ｃ）が設定されるように構成されている。
【００２１】
さらに、各移動局ＵＥは、無線基地局ｅＮＢ＃１との間でＲＲＣコネクションを設定し、無線基地局ｅＮＢ＃１０との間でＲＲＣコネクションを設定しないように構成されている。
【００２２】
ここで、無線基地局ｅＮＢ＃１は、無線基地局ｅＮＢ＃１０配下のスモールセルにおけるリソース割り当て（ｒｅｓｏｕｒｃｅ  ａｌｌｏｃａｔｉｏｎ）を行うように構成されている。
【００２３】
また、無線基地局ｅＮＢ＃１は、無線基地局ｅＮＢ＃１０配下のスモールセルの設定（ｃｏｎｆｉｇｕｒａｔｉｏｎ）を行うように構成されている。
【００２４】
さらに、無線基地局ｅＮＢ＃１０は、無線基地局ｅＮＢ＃１との間のＸ２コネクション（Ｘ２’-Ｃ）を介して、スモールセルにおけるリソースに係る情報を通知するように構成されている。
【００２５】
ここで、無線基地局ｅＮＢ＃１及び無線基地局ｅＮＢ＃１０は、非リアルタイムシグナリングによって、かかるスモールセルにおけるリソースに係る情報をやり取りするように構成されていてもよい。
【００２６】
例えば、無線基地局ｅＮＢ＃１は、無線基地局ｅＮＢ＃１０に対して、かかるスモールセルにおけるリソースに係る情報として、かかるスモールセルにおけるリソース割り当て結果を通知し、無線基地局ｅＮＢ＃１０は、無線基地局ｅＮＢ＃１に対して、かかるスモールセルにおけるリソースに係る情報として、スモールセルでのリソース空き情報を通知するように構成されていてもよい。
【００２７】
移動管理ノードＭＭＥは、無線基地局ｅＮＢ＃１０を、既存の無線基地局ｅＮＢとして認識している。
【００２８】
また、移動管理ノードＭＭＥは、各移動局ＵＥに対して、無線基地局ｅＮＢ＃１との間のＳ１コネクション（Ｓ１-Ｃ）に加えて、無線基地局ｅＮＢ＃１０との間のＳ１コネクション（Ｓ１-Ｃ）を管理するように構成されている。
【００２９】
図２に示すように、移動管理ノードＭＭＥは、プロトコルスタックとして、ＴＮＬ（Ｔｒａｎｓｐｏｒｔ  Ｎｅｔｗｏｒｋ  Ｌａｙｅｒ）-Ｌ１/Ｌ２レイヤ機能と、ＴＮＬ-Ｌ１/Ｌ２レイヤ機能の上位レイヤ機能としてのＩＰ（Ｉｎｔｅｒｎｅｔ  Ｐｒｏｔｏｃｏｌ）レイヤ機能と、ＩＰレイヤ機能の上位レイヤ機能としてのＳＣＴＰ（Ｓｔｒｅａｍ  Ｃｏｎｔｒｏｌ  Ｔｒａｎｓｍｉｓｓｉｏｎ  Ｐｒｏｔｏｃｏｌ）レイヤ機能と、ＳＣＴＰレイヤ機能の上位レイヤ機能としてのＳ１-ＡＰ機能とを具備している。
【００３０】
無線基地局ｅＮＢ＃１は、移動管理ノードＭＭＥ側のプロトコルスタックとして、ＴＮＬ-Ｌ１/Ｌ２レイヤ機能と、ＴＮＬ-Ｌ１/Ｌ２レイヤ機能の上位レイヤ機能としてのＩＰレイヤ機能と、ＩＰレイヤ機能の上位レイヤ機能としてのＳＣＴＰレイヤ機能と、ＳＣＴＰレイヤ機能の上位レイヤ機能としてのＳ１-ＡＰ機能とを具備している。
【００３１】
また、無線基地局ｅＮＢ＃１は、無線基地局ｅＮＢ＃１０側のプロトコルスタックとして、ＴＮＬ-Ｌ１/Ｌ２レイヤ機能と、ＴＮＬ-Ｌ１/Ｌ２レイヤ機能の上位レイヤ機能としてのＩＰレイヤ機能と、ＩＰレイヤ機能の上位レイヤ機能としてのＳＣＴＰレイヤ機能と、ＳＣＴＰレイヤ機能の上位レイヤ機能としてのＸ’２-ＡＰ機能とを具備している。
【００３２】
さらに、無線基地局ｅＮＢ＃１は、移動局ＵＥ側のプロトコルスタックとして、物理（ＰＨＹ）レイヤ機能と、物理レイヤ機能の上位レイヤ機能としてのＭＡＣ（Ｍｅｄｉａ  Ａｃｃｅｓｓ  Ｃｏｎｔｒｏｌ）レイヤ機能と、ＭＡＣレイヤ機能の上位レイヤ機能としてのＲＬＣ（Ｒａｄｉｏ  Ｌｉｎｋ  Ｃｏｎｔｒｏｌ）レイヤ機能と、ＲＬＣレイヤ機能の上位レイヤ機能としてのＰＤＣＰ（Ｐａｃｋｅｔ  Ｄａｔａ  Ｃｏｎｖｅｒｇｅｎｃｅ  Ｐｒｏｔｏｃｏｌ）レイヤ機能と、ＰＤＣＰレイヤ機能の上位レイヤ機能としてのＲＲＣ（Ｒａｄｉｏ  Ｒｅｓｏｕｒｃｅ  Ｃｏｎｔｒｏｌ）レイヤ機能とを具備している。
【００３３】
無線基地局ｅＮＢ＃１０は、移動管理ノードＭＭＥ側のプロトコルスタックとして、ＴＮＬ-Ｌ１/Ｌ２レイヤ機能と、ＴＮＬ-Ｌ１/Ｌ２レイヤ機能の上位レイヤ機能としてのＩＰレイヤ機能と、ＩＰレイヤ機能の上位レイヤ機能としてのＳＣＴＰレイヤ機能と、ＳＣＴＰレイヤ機能の上位レイヤ機能としてのＳ１-ＡＰ機能とを具備している。
【００３４】
また、無線基地局ｅＮＢ＃１０は、無線基地局ｅＮＢ＃１側のプロトコルスタックとして、ＴＮＬ-Ｌ１/Ｌ２レイヤ機能と、ＴＮＬ-Ｌ１/Ｌ２レイヤ機能の上位レイヤ機能としてのＩＰレイヤ機能と、ＩＰレイヤ機能の上位レイヤ機能としてのＳＣＴＰレイヤ機能と、ＳＣＴＰレイヤ機能の上位レイヤ機能としてのＸ’２-ＡＰ機能とを具備している。
【００３５】
移動局ＵＥは、プロトコルスタックとして、物理レイヤ機能と、物理レイヤ機能の上位レイヤ機能としてのＭＡＣレイヤ機能と、ＭＡＣレイヤ機能の上位レイヤ機能としてのＲＬＣレイヤ機能と、ＲＬＣレイヤ機能の上位レイヤ機能としてのＰＤＣＰレイヤ機能と、ＰＤＣＰレイヤ機能の上位レイヤ機能としてのＲＲＣレイヤ機能とを具備している。
【００３６】
以上に述べた本実施形態の特徴は、以下のように表現されていてもよい。
【００３７】
本実施形態の第１の特徴は、マクロセルを管理する無線基地局ｅＮＢ＃１（第１無線基地局）と、スモールセルを管理する無線基地局ｅＮＢ＃１０（第２無線基地局）と、移動管理ノードＭＭＥとを具備する移動通信システムであって、無線基地局ｅＮＢ＃１は、スモールセルにおけるリソース割り当てを行うように構成されており、各移動局ＵＥは、無線基地局ｅＮＢ＃１との間でＲＲＣコネクションを設定し、無線基地局ｅＮＢ＃１０との間でＲＲＣコネクションを設定しないように構成されており、無線基地局ｅＮＢ＃１０は、無線基地局ｅＮＢ＃１との間で、Ｘ２コネクション（Ｘ２’-Ｃ）を介して、スモールセルにおけるリソースに係る情報をやり取りするように構成されており、移動管理ノードＭＭＥは、各移動局ＵＥに対して、無線基地局ｅＮＢ＃１との間のＳ１コネクション（Ｓ１-Ｃ）に加えて、無線基地局ｅＮＢ＃１０との間のＳ１コネクション（Ｓ１-Ｃ）を管理するように構成されていることを要旨とする。
【００３８】
本実施形態に係る移動通信システムによれば、移動局ＵＥは、マクロセル及びスモールセルに同時に接続して、マクロセルを介して音声通信を行い、スモールセルを介してデータ通信を行う、すなわち、「Ｉｎｔｅｒ-ｅＮＢ  ＣＡ（Ｃａｒｒｉｅｒ  Ａｇｇｒｅｇａｔｉｏｎ）」を行う際に、無線基地局ｅＮＢ＃１の負担を減らしつつ、Ｘ２コネクション（Ｘ２’-Ｃ）を介した通信に起因する無線設定の処理遅延を減らすことができる。
【００３９】
（本発明の第２の実施形態に係る移動通信システム）
図３及び図４を参照して、本発明の第２の実施形態に係る移動通信システムについて、上述の第１の実施形態に係る移動通信システムとの相違点に着目して説明する。
【００４０】
図３に示すように、本実施形態に係る移動通信システムは、移動管理ノードＭＭＥと、マクロセルを管理する無線基地局ｅＮＢ＃１と、スモールセルを管理する無線基地局ｅＮＢ＃１０とを具備している。
【００４１】
図３に示すように、本実施形態に係る移動通信システムでは、無線基地局ｅＮＢ＃１と無線基地局ｅＮＢ＃１０との間でＸ２コネクション（Ｘ２’-Ｃ）が設定されるように構成されている。
【００４２】
また、本実施形態に係る移動通信システムでは、移動管理ノードＭＭＥと無線基地局ｅＮＢ＃１との間でＳ１コネクション（Ｓ１-Ｃ）が設定されると共に、移動管理ノードＭＭＥと無線基地局ｅＮＢ＃１０との間でＳ１コネクション（Ｓ１-Ｃ）が設定されるように構成されている。
【００４３】
さらに、各移動局ＵＥは、無線基地局ｅＮＢ＃１との間でＲＲＣコネクションを設定し、無線基地局ｅＮＢ＃１０との間でＲＲＣコネクションを設定しないように構成されている。
【００４４】
ここで、無線基地局ｅＮＢ＃１０は、無線基地局ｅＮＢ＃１０配下のスモールセルにおけるリソース割り当て（ｒｅｓｏｕｒｃｅ  ａｌｌｏｃａｔｉｏｎ）を行うように構成されている。
【００４５】
また、無線基地局ｅＮＢ＃１０は、無線基地局ｅＮＢ＃１０配下のスモールセルの設定（ｃｏｎｆｉｇｕｒａｔｉｏｎ）を行うように構成されている。
【００４６】
すなわち、ＲＲＣレイヤ機能及びＲＲＭ（Ｒａｄｉｏ  Ｒｅｓｏｕｒｃｅ  Ｍａｎａｇｅｍｅｎｔ）レイヤ機能の一部（Ｓ-ＲＲＣレイヤ機能/Ｓ-ＲＲＭレイヤ機能）は、無線基地局ｅＮＢ＃１０によって行われるように構成されている。
【００４７】
ここで、ＲＲＭレイヤ機能は、無線リソースの管理を行うように構成されており、ＲＲＣレイヤ機能は、かかる無線リソースの管理に係るメッセージを生成するように構成されている。
【００４８】
なお、移動局ＵＥから、終端ポイントとして見えているのは、ＲＲＣレイヤ機能のみである。
【００４９】
例えば、「Ｒａｄｉｏ  Ｒｅｓｏｕｒｃｅ  Ｃｏｎｆｉｇｕｒａｔｉｏｎ」機能（物理レイヤ機能やＭＡＣレイヤ機能やＲＬＣレイヤ機能やＰＤＣＰレイヤ機能のリソース割り当てや設定）及び「Ｒａｄｉｏ  Ｌｉｎｋ  Ｆａｉｌｕｒｅ」機能の少なくとも一部は、無線基地局ｅＮＢ＃１及び無線基地局ｅＮＢ＃１０に設けられている。
【００５０】
例えば、移動局ＵＥによってスモールセルで用いられる個別リソース、例えば、上りデータ信号やＣＱＩ（Ｃｈａｎｎｅｌ  Ｑｕａｌｉｔｙ  Ｉｎｄｉｃａｔｏｒ）やＳＲＳ（Ｓｏｕｎｄｉｎｇ  Ｒｅｆｅｒｅｎｃｅ  Ｓｉｇｎａｌ）や「Ｓｃｈｅｄｕｌｉｎｇ  Ｒｅｑｕｅｓｔ」を送信するためのＰＵＣＣＨ（Ｐｈｙｓｉｃａｌ  Ｕｐｌｉｎｋ  Ｃｏｎｔｒｏｌ  Ｃｈａｎｎｅｌ）用リソースは、無線基地局ｅＮＢ＃１０によって割り当てられる。
【００５１】
無線基地局ｅＮＢ＃１０は、無線基地局ｅＮＢ＃１との間のＸ２コネクション（Ｘ２’-Ｃ）を介して、スモールセルにおけるリソース割り当て結果を通知するように構成されている。
【００５２】
ここで、無線基地局ｅＮＢ＃１０は、リアルタイムシグナリングによって、かかるスモールセルにおけるリソース割り当て結果を通知するように構成されていてもよい。
【００５３】
移動管理ノードＭＭＥは、無線基地局ｅＮＢ＃１０を、既存の無線基地局ｅＮＢとして認識している。
【００５４】
また、移動管理ノードＭＭＥは、各移動局ＵＥに対して、無線基地局ｅＮＢ＃１との間のＳ１コネクション（Ｓ１-Ｃ）に加えて、無線基地局ｅＮＢ＃１０との間のＳ１コネクション（Ｓ１-Ｃ）を管理するように構成されている。
【００５５】
図４に示すように、移動管理ノードＭＭＥは、プロトコルスタックとして、ＴＮＬ-Ｌ１/Ｌ２レイヤ機能と、ＴＮＬ-Ｌ１/Ｌ２レイヤ機能の上位レイヤ機能としてのＩＰレイヤ機能と、ＩＰレイヤ機能の上位レイヤ機能としてのＳＣＴＰレイヤ機能と、ＳＣＴＰレイヤ機能の上位レイヤ機能としてのＳ１-ＡＰ機能とを具備している。
【００５６】
無線基地局ｅＮＢ＃１は、移動管理ノードＭＭＥ側のプロトコルスタックとして、ＴＮＬ-Ｌ１/Ｌ２レイヤ機能と、ＴＮＬ-Ｌ１/Ｌ２レイヤ機能の上位レイヤ機能としてのＩＰレイヤ機能と、ＩＰレイヤ機能の上位レイヤ機能としてのＳＣＴＰレイヤ機能と、ＳＣＴＰレイヤ機能の上位レイヤ機能としてのＳ１-ＡＰ機能とを具備している。
【００５７】
また、無線基地局ｅＮＢ＃１は、無線基地局ｅＮＢ＃１０側のプロトコルスタックとして、ＴＮＬ-Ｌ１/Ｌ２レイヤ機能と、ＴＮＬ-Ｌ１/Ｌ２レイヤ機能の上位レイヤ機能としてのＩＰレイヤ機能と、ＩＰレイヤ機能の上位レイヤ機能としてのＳＣＴＰレイヤ機能と、ＳＣＴＰレイヤ機能の上位レイヤ機能としてのＸ’２-ＡＰ機能とを具備している。
【００５８】
さらに、無線基地局ｅＮＢ＃１は、移動局ＵＥ側のプロトコルスタックとして、物理レイヤ機能と、物理レイヤ機能の上位レイヤ機能としてのＭＡＣレイヤ機能と、ＭＡＣレイヤ機能の上位レイヤ機能としてのＲＬＣレイヤ機能と、ＲＬＣレイヤ機能の上位レイヤ機能としてのＰＤＣＰレイヤ機能と、ＰＤＣＰレイヤ機能の上位レイヤ機能としてのＭ-ＲＲＣレイヤ機能（Ｓ-ＲＲＣレイヤ機能以外の機能）とを具備している。
【００５９】
無線基地局ｅＮＢ＃１０は、移動管理ノードＭＭＥ側のプロトコルスタックとして、ＴＮＬ-Ｌ１/Ｌ２レイヤ機能と、ＴＮＬ-Ｌ１/Ｌ２レイヤ機能の上位レイヤ機能としてのＩＰレイヤ機能と、ＩＰレイヤ機能の上位レイヤ機能としてのＳＣＴＰレイヤ機能と、ＳＣＴＰレイヤ機能の上位レイヤ機能としてのＳ１-ＡＰ機能とを具備している。
【００６０】
また、無線基地局ｅＮＢ＃１０は、無線基地局ｅＮＢ＃１側のプロトコルスタックとして、ＴＮＬ-Ｌ１/Ｌ２レイヤ機能と、ＴＮＬ-Ｌ１/Ｌ２レイヤ機能の上位レイヤ機能としてのＩＰレイヤ機能と、ＩＰレイヤ機能の上位レイヤ機能としてのＳＣＴＰレイヤ機能と、ＳＣＴＰレイヤ機能の上位レイヤ機能としてのＸ’２-ＡＰ機能とを具備している。
【００６１】
なお、無線基地局ｅＮＢ＃１０は、移動局ＵＥ側のプロトコルスタックとして、Ｓ-ＲＲＣレイヤ機能を具備している。
【００６２】
移動局ＵＥは、プロトコルスタックとして、物理レイヤ機能と、物理レイヤ機能の上位レイヤ機能としてのＭＡＣレイヤ機能と、ＭＡＣレイヤ機能の上位レイヤ機能としてのＲＬＣレイヤ機能と、ＲＬＣレイヤ機能の上位レイヤ機能としてのＰＤＣＰレイヤ機能と、ＰＤＣＰレイヤ機能の上位レイヤ機能としてのＲＲＣレイヤ機能とを具備している。
【００６３】
以上に述べた本実施形態の特徴は、以下のように表現されていてもよい。
【００６４】
本実施形態の第１の特徴は、マクロセルを管理する無線基地局ｅＮＢ＃１と、スモールセルを管理する無線基地局ｅＮＢ＃１０と、移動管理ノードＭＭＥとを具備する移動通信システムであって、無線基地局ｅＮＢ＃１０は、スモールセルにおけるリソース割り当てを行うように構成されており、各移動局ＵＥは、無線基地局ｅＮＢ＃１との間でＲＲＣコネクションを設定し、無線基地局ｅＮＢ＃１０との間でＲＲＣコネクションを設定しないように構成されており、無線基地局ｅＮＢ＃１０は、無線基地局ｅＮＢ＃１との間のＸ２コネクション（Ｘ２’-Ｃ）を介して、スモールセルにおけるリソース割り当て結果を通知するように構成されており、移動管理ノードＭＭＥは、各移動局ＵＥに対して、無線基地局ｅＮＢ＃１との間のＳ１コネクション（Ｓ１-Ｃ）に加えて、無線基地局ｅＮＢ＃１０との間のＳ１コネクション（Ｓ１-Ｃ）を管理するように構成されていることを要旨とする。
【００６５】
（本発明の第３の実施形態に係る移動通信システム）
図５及び図６を参照して、本発明の第３の実施形態に係る移動通信システムについて、上述の第１及び第２の実施形態に係る移動通信システムとの相違点に着目して説明する。
【００６６】
図５に示すように、本実施形態に係る移動通信システムは、移動管理ノードＭＭＥと、マクロセルを管理する無線基地局ｅＮＢ＃１と、スモールセルを管理する無線基地局ｅＮＢ＃１０とを具備している。
【００６７】
図５に示すように、本実施形態に係る移動通信システムでは、無線基地局ｅＮＢ＃１と無線基地局ｅＮＢ＃１０との間でＸ２コネクション（Ｘ２’-Ｃ）が設定されるように構成されている。
【００６８】
また、本実施形態に係る移動通信システムでは、移動管理ノードＭＭＥと無線基地局ｅＮＢ＃１との間でＳ１コネクション（Ｓ１-Ｃ）が設定されると共に、移動管理ノードＭＭＥと無線基地局ｅＮＢ＃１０との間でＳ１コネクション（Ｓ１-Ｃ）が設定されるように構成されている。
【００６９】
さらに、各移動局ＵＥは、無線基地局ｅＮＢ＃１との間でＲＲＣコネクションを設定すると共に、無線基地局ｅＮＢ＃１０との間でＲＲＣコネクションを設定するように構成されている。
【００７０】
ここで、無線基地局ｅＮＢ＃１０は、無線基地局ｅＮＢ＃１０配下のスモールセルにおけるリソース割り当て（ｒｅｓｏｕｒｃｅ  ａｌｌｏｃａｔｉｏｎ）を行うように構成されている。
【００７１】
また、無線基地局ｅＮＢ＃１０は、無線基地局ｅＮＢ＃１０配下のスモールセルの設定（ｃｏｎｆｉｇｕｒａｔｉｏｎ）を行うように構成されている。
【００７２】
すなわち、ＲＲＣレイヤ機能能及びＲＲＭレイヤ機能の一部（Ｓ-ＲＲＣレイヤ機能/Ｓ-ＲＲＭレイヤ機能）は、無線基地局ｅＮＢ＃１０によって行われるように構成されている。
【００７３】
例えば、「Ｒａｄｉｏ  Ｒｅｓｏｕｒｃｅ  Ｃｏｎｆｉｇｕｒａｔｉｏｎ」機能（物理レイヤ機能やＭＡＣレイヤ機能やＲＬＣレイヤ機能やＰＤＣＰレイヤ機能のリソース割り当てや設定）及び「Ｒａｄｉｏ  Ｌｉｎｋ  Ｆａｉｌｕｒｅ」機能の少なくとも一部は、無線基地局ｅＮＢ＃１及び無線基地局ｅＮＢ＃１０に設けられている。
【００７４】
無線基地局ｅＮＢ＃１０は、無線基地局ｅＮＢ＃１との間のＸ２コネクション（Ｘ２’-Ｃ）を介して、各移動局ＵＥのステータスを通知するように構成されている。
【００７５】
ここで、無線基地局ｅＮＢ＃１０は、リアルタイムシグナリングによって、かかる各移動局ＵＥのステータスを通知するように構成されていてもよいし、非リアルタイムシグナリングによって、かかる各移動局ＵＥのステータスを通知するように構成されていてもよい。
【００７６】
移動管理ノードＭＭＥは、無線基地局ｅＮＢ＃１０を、既存の無線基地局ｅＮＢとして認識している。
【００７７】
また、移動管理ノードＭＭＥは、各移動局ＵＥに対して、無線基地局ｅＮＢ＃１との間のＳ１コネクション（Ｓ１-Ｃ）に加えて、無線基地局ｅＮＢ＃１０との間のＳ１コネクション（Ｓ１-Ｃ）を管理するように構成されている。
【００７８】
図６に示すように、移動管理ノードＭＭＥは、プロトコルスタックとして、ＴＮＬ-Ｌ１/Ｌ２レイヤ機能と、ＴＮＬ-Ｌ１/Ｌ２レイヤ機能の上位レイヤ機能としてのＩＰレイヤ機能と、ＩＰレイヤ機能の上位レイヤ機能としてのＳＣＴＰレイヤ機能と、ＳＣＴＰレイヤ機能の上位レイヤ機能としてのＳ１-ＡＰ機能とを具備している。
【００７９】
無線基地局ｅＮＢ＃１は、移動管理ノードＭＭＥ側のプロトコルスタックとして、ＴＮＬ-Ｌ１/Ｌ２レイヤ機能と、ＴＮＬ-Ｌ１/Ｌ２レイヤ機能の上位レイヤ機能としてのＩＰレイヤ機能と、ＩＰレイヤ機能の上位レイヤ機能としてのＳＣＴＰレイヤ機能と、ＳＣＴＰレイヤ機能の上位レイヤ機能としてのＳ１-ＡＰ機能とを具備している。
【００８０】
また、無線基地局ｅＮＢ＃１は、無線基地局ｅＮＢ＃１０側のプロトコルスタックとして、ＴＮＬ-Ｌ１/Ｌ２レイヤ機能と、ＴＮＬ-Ｌ１/Ｌ２レイヤ機能の上位レイヤ機能としてのＩＰレイヤ機能と、ＩＰレイヤ機能の上位レイヤ機能としてのＳＣＴＰレイヤ機能と、ＳＣＴＰレイヤ機能の上位レイヤ機能としてのＸ’２-ＡＰ機能とを具備している。
【００８１】
さらに、無線基地局ｅＮＢ＃１は、移動局ＵＥ側のプロトコルスタックとして、物理レイヤ機能と、物理レイヤ機能の上位レイヤ機能としてのＭＡＣレイヤ機能と、ＭＡＣレイヤ機能の上位レイヤ機能としてのＲＬＣレイヤ機能と、ＲＬＣレイヤ機能の上位レイヤ機能としてのＰＤＣＰレイヤ機能と、ＰＤＣＰレイヤ機能の上位レイヤ機能としてのＭ-ＲＲＣレイヤ機能とを具備している。
【００８２】
無線基地局ｅＮＢ＃１０は、移動管理ノードＭＭＥ側のプロトコルスタックとして、ＴＮＬ-Ｌ１/Ｌ２レイヤ機能と、ＴＮＬ-Ｌ１/Ｌ２レイヤ機能の上位レイヤ機能としてのＩＰレイヤ機能と、ＩＰレイヤ機能の上位レイヤ機能としてのＳＣＴＰレイヤ機能と、ＳＣＴＰレイヤ機能の上位レイヤ機能としてのＳ１-ＡＰ機能とを具備している。
【００８３】
また、無線基地局ｅＮＢ＃１０は、無線基地局ｅＮＢ＃１側のプロトコルスタックとして、ＴＮＬ-Ｌ１/Ｌ２レイヤ機能と、ＴＮＬ-Ｌ１/Ｌ２レイヤ機能の上位レイヤ機能としてのＩＰレイヤ機能と、ＩＰレイヤ機能の上位レイヤ機能としてのＳＣＴＰレイヤ機能と、ＳＣＴＰレイヤ機能の上位レイヤ機能としてのＸ’２-ＡＰ機能とを具備している。
【００８４】
なお、無線基地局ｅＮＢ＃１０は、移動局ＵＥ側のプロトコルスタックとして、物理レイヤ機能と、物理レイヤ機能の上位レイヤ機能としてのＭＡＣレイヤ機能と、ＭＡＣレイヤ機能の上位レイヤ機能としてのＲＬＣレイヤ機能と、ＲＬＣレイヤ機能の上位レイヤ機能としてのＰＤＣＰレイヤ機能と、ＰＤＣＰレイヤ機能の上位レイヤ機能としてのＳ-ＲＲＣレイヤ機能とを具備している。
【００８５】
移動局ＵＥは、プロトコルスタックとして、物理レイヤ機能と、物理レイヤ機能の上位レイヤ機能としてのＭＡＣレイヤ機能と、ＭＡＣレイヤ機能の上位レイヤ機能としてのＲＬＣレイヤ機能と、ＲＬＣレイヤ機能の上位レイヤ機能としてのＰＤＣＰレイヤ機能と、ＰＤＣＰレイヤ機能の上位レイヤ機能としてのＲＲＣレイヤ機能とを具備している。
【００８６】
以上に述べた本実施形態の特徴は、以下のように表現されていてもよい。
【００８７】
本実施形態の第１の特徴は、マクロセルを管理する無線基地局ｅＮＢ＃１と、スモールセルを管理する無線基地局ｅＮＢ＃１０と、移動管理ノードＭＭＥとを具備する移動通信システムであって、無線基地局ｅＮＢ＃１０は、スモールセルにおけるリソース割り当てを行うように構成されており、各移動局ＵＥは、無線基地局ｅＮＢ＃１との間でＲＲＣコネクションを設定すると共に、無線基地局ｅＮＢ＃１０との間でＲＲＣコネクションを設定するように構成されており、無線基地局ｅＮＢ＃１０は、無線基地局ｅＮＢ＃１との間のＸ２コネクション（Ｘ２’-Ｃ）を介して、各移動局ＵＥのステータスを通知するように構成されており、移動管理ノードＭＭＥは、各移動局ＵＥに対して、無線基地局ｅＮＢ＃１との間のＳ１コネクション（Ｓ１-Ｃ）に加えて、無線基地局ｅＮＢ＃１０との間のＳ１コネクション（Ｓ１-Ｃ）を管理するように構成されていることを要旨とする。
【００８８】
（本発明の第４の実施形態に係る移動通信システム）
図７及び図８を参照して、本発明の第４の実施形態に係る移動通信システムについて、上述の第１の実施形態に係る移動通信システムとの相違点に着目して説明する。
【００８９】
図７に示すように、本実施形態に係る移動通信システムでは、移動管理ノードＭＭＥと無線基地局ｅＮＢ＃１との間でＳ１コネクション（Ｓ１-Ｃ）が設定され、移動管理ノードＭＭＥと無線基地局ｅＮＢ＃１０との間でＳ１コネクション（Ｓ１-Ｃ）が設定されないように構成されている。
【００９０】
移動管理ノードＭＭＥは、無線基地局ｅＮＢ＃１０を、既存の無線基地局ｅＮＢとして認識していない。
【００９１】
また、移動管理ノードＭＭＥは、各移動局ＵＥに対して、無線基地局ｅＮＢ＃１との間のＳ１コネクション（Ｓ１-Ｃ）を管理し、無線基地局ｅＮＢ＃１０との間のＳ１コネクション（Ｓ１-Ｃ）を管理しないように構成されている。
【００９２】
なお、移動管理ノードＭＭＥから無線基地局ｅＮＢ＃１０宛てのＳ１シグナリング（例えば、ベアラ設定用シグナリング）は、Ｘ２コネクション（Ｘ２’-Ｃ）を介して送信されるように構成されている。
【００９３】
図８に示すように、無線基地局ｅＮＢ＃１０は、第１の実施形態に係る移動通信システムと異なり、移動管理ノードＭＭＥ側のプロトコルスタックを具備していない。
【００９４】
以上に述べた本実施形態の特徴は、以下のように表現されていてもよい。
【００９５】
本実施形態の第１の特徴は、マクロセルを管理する無線基地局ｅＮＢ＃１と、スモールセルを管理する無線基地局ｅＮＢ＃１０と、移動管理ノードＭＭＥとを具備する移動通信システムであって、無線基地局ｅＮＢ＃１は、スモールセルにおけるリソース割り当てを行うように構成されており、各移動局ＵＥは、無線基地局ｅＮＢ＃１との間でＲＲＣコネクションを設定し、無線基地局ｅＮＢ＃１０との間でＲＲＣコネクションを設定しないように構成されており、無線基地局ｅＮＢ＃１０は、無線基地局ｅＮＢ＃１との間で、Ｘ２コネクション（Ｘ２’-Ｃ）を介して、スモールセルにおけるリソースに係る情報をやり取りするように構成されており、移動管理ノードＭＭＥは、各移動局ＵＥに対して、無線基地局ｅＮＢ＃１との間のＳ１コネクション（Ｓ１-Ｃ）を管理し、無線基地局ｅＮＢ＃１０との間のＳ１コネクション（Ｓ１-Ｃ）を管理しないように構成されており、移動管理ノードＭＭＥから無線基地局ｅＮＢ＃１０宛てのＳ１シグナリングは、Ｘ２コネクション（Ｘ２’-Ｃ）を介して送信されるように構成されてことを要旨とする。
【００９６】
（本発明の第５の実施形態に係る移動通信システム）
図９及び図１０を参照して、本発明の第５の実施形態に係る移動通信システムについて、上述の第２の実施形態に係る移動通信システムとの相違点に着目して説明する。
【００９７】
図９に示すように、本実施形態に係る移動通信システムでは、移動管理ノードＭＭＥと無線基地局ｅＮＢ＃１との間でＳ１コネクション（Ｓ１-Ｃ）が設定され、移動管理ノードＭＭＥと無線基地局ｅＮＢ＃１０との間でＳ１コネクション（Ｓ１-Ｃ）が設定されないように構成されている。
【００９８】
移動管理ノードＭＭＥは、無線基地局ｅＮＢ＃１０を、既存の無線基地局ｅＮＢとして認識していない。
【００９９】
また、移動管理ノードＭＭＥは、各移動局ＵＥに対して、無線基地局ｅＮＢ＃１との間のＳ１コネクション（Ｓ１-Ｃ）を管理し、無線基地局ｅＮＢ＃１０との間のＳ１コネクション（Ｓ１-Ｃ）を管理しないように構成されている。
【０１００】
なお、移動管理ノードＭＭＥから無線基地局ｅＮＢ＃１０宛てのＳ１シグナリング（例えば、ベアラ設定用シグナリング）は、Ｘ２コネクション（Ｘ２’-Ｃ）を介して送信されるように構成されている。
【０１０１】
図１０に示すように、無線基地局ｅＮＢ＃１０は、第２の実施形態に係る移動通信システムと異なり、移動管理ノードＭＭＥ側のプロトコルスタックを具備していない。
【０１０２】
以上に述べた本実施形態の特徴は、以下のように表現されていてもよい。
【０１０３】
本実施形態の第１の特徴は、マクロセルを管理する無線基地局ｅＮＢ＃１と、スモールセルを管理する無線基地局ｅＮＢ＃１０と、移動管理ノードＭＭＥとを具備する移動通信システムであって、無線基地局ｅＮＢ＃１０は、スモールセルにおけるリソース割り当てを行うように構成されており、各移動局ＵＥは、無線基地局ｅＮＢ＃１との間でＲＲＣコネクションを設定し、無線基地局ｅＮＢ＃１０との間でＲＲＣコネクションを設定しないように構成されており、無線基地局ｅＮＢ＃１０は、無線基地局ｅＮＢ＃１との間のＸ２コネクション（Ｘ２’-Ｃ）を介して、スモールセルにおけるリソース割り当て結果を通知するように構成されており、移動管理ノードＭＭＥは、各移動局ＵＥに対して、無線基地局ｅＮＢ＃１との間のＳ１コネクション（Ｓ１-Ｃ）を管理し、無線基地局ｅＮＢ＃１０との間のＳ１コネクション（Ｓ１-Ｃ）を管理しないように構成されており、移動管理ノードＭＭＥから無線基地局ｅＮＢ＃１０宛てのＳ１シグナリングは、Ｘ２コネクション（Ｘ２’-Ｃ）を介して送信されるように構成されていることを要旨とする。
【０１０４】
（本発明の第６の実施形態に係る移動通信システム）
図１１及び図１２を参照して、本発明の第６の実施形態に係る移動通信システムについて、上述の第３の実施形態に係る移動通信システムとの相違点に着目して説明する。
【０１０５】
図１１に示すように、本実施形態に係る移動通信システムでは、移動管理ノードＭＭＥと無線基地局ｅＮＢ＃１との間でＳ１コネクション（Ｓ１-Ｃ）が設定され、移動管理ノードＭＭＥと無線基地局ｅＮＢ＃１０との間でＳ１コネクション（Ｓ１-Ｃ）が設定されないように構成されている。
【０１０６】
移動管理ノードＭＭＥは、無線基地局ｅＮＢ＃１０を、既存の無線基地局ｅＮＢとして認識していない。
【０１０７】
また、移動管理ノードＭＭＥは、各移動局ＵＥに対して、無線基地局ｅＮＢ＃１との間のＳ１コネクション（Ｓ１-Ｃ）を管理し、無線基地局ｅＮＢ＃１０との間のＳ１コネクション（Ｓ１-Ｃ）を管理しないように構成されている。
【０１０８】
なお、移動管理ノードＭＭＥから無線基地局ｅＮＢ＃１０宛てのＳ１シグナリング（例えば、ベアラ設定用シグナリング）は、Ｘ２コネクション（Ｘ２’-Ｃ）を介して送信されるように構成されている。
【０１０９】
図１２に示すように、無線基地局ｅＮＢ＃１０は、第３の実施形態に係る移動通信システムと異なり、移動管理ノードＭＭＥ側のプロトコルスタックを具備していない。
【０１１０】
以上に述べた本実施形態の特徴は、以下のように表現されていてもよい。
【０１１１】
本実施形態の第１の特徴は、マクロセルを管理する無線基地局ｅＮＢ＃１と、スモールセルを管理する無線基地局ｅＮＢ＃１０と、移動管理ノードＭＭＥとを具備する移動通信システムであって、無線基地局ｅＮＢ＃１０は、スモールセルにおけるリソース割り当てを行うように構成されており、各移動局ＵＥは、無線基地局ｅＮＢ＃１との間でＲＲＣコネクションを設定すると共に、無線基地局ｅＮＢ＃１０との間でＲＲＣコネクションを設定するように構成されており、無線基地局ｅＮＢ＃１０は、無線基地局ｅＮＢ＃１との間のＸ２コネクション（Ｘ２’-Ｃ）を介して、各移動局ＵＥのステータスを通知するように構成されており、移動管理ノードＭＭＥは、各移動局ＵＥに対して、無線基地局ｅＮＢ＃１との間のＳ１コネクション（Ｓ１-Ｃ）を管理し、無線基地局ｅＮＢ＃１０との間のＳ１コネクション（Ｓ１-Ｃ）を管理しないように構成されており、移動管理ノードＭＭＥから無線基地局ｅＮＢ＃１０宛てのＳ１シグナリングは、Ｘ２コネクション（Ｘ２’-Ｃ）を介して送信されるように構成されていることを要旨とする。
【０１１２】
なお、上述の移動管理ノードＭＭＥや無線基地局ｅＮＢや移動局ＵＥの動作は、ハードウェアによって実施されてもよいし、プロセッサによって実行されるソフトウェアモジュールによって実施されてもよいし、両者の組み合わせによって実施されてもよい。
【０１１３】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【０１１４】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動管理ノードＭＭＥや無線基地局ｅＮＢや移動局ＵＥ内に設けられていてもよい。また、かかる記憶媒体及びプロセッサは、ディスクリートコンポーネントとして移動管理ノードＭＭＥや無線基地局ｅＮＢや移動局ＵＥ内に設けられていてもよい。
【０１１５】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【０１１６】
ＵＥ…移動局
ｅＮＢ＃１/ｅＮＢ＃１０…無線基地局
ＭＭＥ…移動管理ノード
【図１】
2014138386.tif 000003
【図２】
2014138386.tif 000004
【図３】
2014138386.tif 000005
【図４】
2014138386.tif 000006
【図５】
2014138386.tif 000007
【図６】
2014138386.tif 000008
【図７】
2014138386.tif 000009
【図８】
2014138386.tif 000010
【図９】
2014138386.tif 000011
【図１０】
2014138386.tif 000012
【図１１】
2014138386.tif 000013
【図１２】
2014138386.tif 000014